(57)【特許請求の範囲】
【請求項１】
枠体（１８）に揺動自在に取り付けられたドア（１４）に取り付けられるドア用安全具であって、平板部（２ａ）とこれに対して直角な垂直部（２ｂ）を有し、前記垂直部（２ｂ）が前記ドア（１４）の揺動側の表側の面に取り付けられ前記平板部（２ａ）が前記ドア（１４）の揺動側の端面に取り付けられるようにした板状の取付体（２）と、細長厚板形状を有し、長手方向の両端の中、一方端側が前記取付体（２）の平板部（２ａ）に略水平状態と略垂直な起立状態との略９０度の範囲内で揺動自在に軸支され、起立させると前記ドアを閉じることができ、該起立状態で長手方向の両側面の中、一方の側面（４ａ）が前記枠体（１８）に当接し、前記水平状態において長手方向の両端の中の他端側の突出部（２４）が前記枠体（１８）に衝突して前記ドア（１４）と前記枠体（１８）との間に隙間を存して前記ドア（１４）を係止するようにした係止体（４）とから成り、前記係止体（４）にこれが起立状態から水平な方向に揺動するように作用する付勢力を付与したことを特徴とするドア用安全具。
【請求項２】
前記係止体（４）に起立状態から水平な方向に揺動するように作用する付勢力をばね力により付与したことを特徴とする請求項１に記載のドア用安全具。
【請求項３】
前記係止体（４）に起立状態から水平な方向に揺動するように作用する付勢力が前記係止体（４）の重量により発生するようにし、前記係止体（４）の前記一方の側面（４ａ）に磁石（１６）を設け、前記係止体（４）を起立させて前記ドア（１４）を閉めると、前記磁石（１６）が対面する前記枠体（１８）に磁力により接着するようにしたことを特徴とする請求項１に記載のドア用安全具。
【発明の詳細な説明】
【０００１】
【発明の属する技術分野】
本発明は、子供などがマンションなどのドアに手を挟まれる事故を防止するためのドア用安全具に関する。
【０００２】
【従来の技術】
ドアが急激に閉まることで生じる事故を防止するための種々の安全装置が開発されている。一般的なものとしては、ドアにダンパーを装置したもの等が知られている。
【０００３】
【発明が解決しようとする課題】
マンションなどでは、開けたドアが風圧などによって急激に閉まってしまうことがあり、この場合、子供などがドアに手を挟まれて怪我をすることがある。ドアにダンパーなどを取り付ければこのような事故を防止できるが装置が大がかりとなりコスト高になってしまう。
本発明はこのような事故を防止することができる機構が簡単で安価なドア用安全具を提供することを目的とするものである。
【０００４】
【問題点を解決する手段】
上記目的を達成するため、本発明は、枠体（１８）に揺動自在に取り付けられたドア（１４）に取り付けられるドア用安全具であって、平板部（２ａ）とこれに対して直角な垂直部（２ｂ）を有し、前記垂直部（２ｂ）が前記ドア（１４）の揺動側の表側の面に取り付けられ前記平板部（２ａ）が前記ドア（１４）の揺動側の端面に取り付けられるようにした板状の取付体（２）と、細長厚板形状を有し、長手方向の両端の中、一方端側が前記取付体（２）の平板部（２ａ）に略水平状態と略垂直な起立状態との略９０度の範囲内で揺動自在に軸支され、起立させると前記ドアを閉じることができ、該起立状態で長手方向の両側面の中、一方の側面（４ａ）が前記枠体（１８）に当接し、前記水平状態において長手方向の両端の中の他端側の突出部（２４）が前記枠体（１８）に衝突して前記ドア（１４）と前記枠体（１８）との間に隙間を存して前記ドア（１４）を係止するようにした係止体（４）とから成り、前記係止体（４）にこれが起立状態から水平な方向に揺動するように作用する付勢力を付与したものである。
また本発明は、前記係止体（４）に起立状態から水平な方向に揺動するように作用する付勢力をばね力より付与したものである。
また本発明は、前記係止体（４）に起立状態から水平な方向に揺動するように作用する付勢力が前記係止体（４）の重量により発生するようにし、前記係止体（４）の前記一方の側面（４ａ）に磁石（１６）を設け、前記係止体（４）を起立させて前記ドア（１４）を閉めると、前記磁石（１６）が対面する前記枠体（１８）に磁力により接着するようにしたものである。
【０００５】
【発明の実施の形態】
以下に本発明の実施の形態を添付した図面を参照して詳細に説明する。
２は帯状の薄い強度のあるＬ型の金属板から成る取付体であり、平板部２ａとこれに対して直角な垂直部２ｂとから構成されている。４はある程度の厚さ幅を有し強度のあるプラスチックあるいは金属の細長板状の材料から成る係止体であり、前記取付体２の平板部２ａに隣接配置され、その長手方向の一方が平板部２ａに回転自在に軸６支されている。
【０００６】
前記係止体４の他方の端面には硬質のゴム体などから成る緩衝体８が固着されている。前記係止体４の回転中心６の近傍には弓状のガイド溝１０が穿設され、これに取付体２に固設されたピン１２がスライド自在に嵌合している。前記ガイド溝１０とピン１２によって前記係止体４は取付体２の平板部２ａの長手方向と平行な係止位置と、該位置から上向きに９０度揺動した起立位置との間で揺動範囲が規制されている。
【０００７】
前記係止体４の他端は、図１に示す係止位置において、取付体２の垂直部２ｂよりも所定距離突出するように構成されている。また、係止体４を図２に示すように、平板部２ａに対して直角に起立させた状態において、係止体４の側面と取付体２の垂直部２ｂとの間の距離（Ｗ）は、図３に示すように、ドア１４の厚さ幅と略同一に設定されている。
【０００８】
前記係止体４の側面４ａには、磁石１６が同一平面上に固着されている。図３において、１８，１８はマンションなどの住居のドアの両側の金属製の枠体であり、これにドア１４がヒンジ２０によって開閉方向に揺動自在に軸支されている。
次に本実施形態の作用について説明する。
【０００９】
ドア１４の揺動側の側面と枠体１８との間には約５ｍｍの隙間が形成されている。ドア１４の上部の揺動側の側面と表側の面とに取付体２の平板部２ａと垂直部２ｂとを図３の如く密着させ、ビス等により、垂直部２ｂと平板部（２ａ）とをドア１４の表側と端面に固定する。係止体４を、図２に示すように、手で直角に起立させた状態でドア１４を閉めると、係止体４は、その側面４ａが、図３に示すように、起立した状態で、枠体１８に当接し、磁石１６が枠体１８に磁気力により密着する。
【００１０】
尚、枠体１６が磁性体でない場合には、枠体１６の磁石１６と対向する部分に両面テープ等を介して磁性金属板を貼り付けるようにする。ドアノブ２２を握ってドア１４を開くと、最初、係止体４は軸６を中心として、磁石１６と枠体１８間に働く磁気吸引力によって水平方向に傾き、磁石１６が枠体から離反すると、係止体４は自重によって、軸６を中心として下向きに揺動し、取付体２の平板部２ａの長手方向と平行な水平方向に倒れる。
【００１１】
該状態において、係止体４は、その緩衝体取付側がドア１４の表側の面から所定長さ突出する。この係止体４の緩衝対８を含む突出部２４は、ドア１４を閉めたとき、図４に示すように、枠体１８に衝突し、ドア１４を閉じる手前で係止する。もし、ドア１４が開いた状態から風圧等により、衝撃的に枠体１８側に急動したとしても、ドア１４は、閉まる手前で水平状態の突出部２４により係止され、ドア１４と枠体１８との間に隙間Ｇが形成されるので、子供などがドアに手を挟まれることがない。
【００１２】
係止体４を手で起立方向に持ち上げれば、ドア１４の係止状態は解除されるので、この状態でドア１４を完全に閉まる位置まで、枠体１８のドア受け部にドアが枠体１８側に係止されるまで押し込むことができる。尚、上記実施形態では、係止体が自重により、水平突出方向に揺動する構成としたが、ばね力により、水平方向に付勢される構成としても良い。
【００１３】
この場合には磁石１６は不要となる。また、取付体２はその垂直部２ｂをドア１４の表側に固定する構成としたが、特にこの構成に限定されるものではなく、垂直部２ｂをドア１４の内側の面に固定する構成としても良い。この場合には、平板部２ａをドア１４の側面と枠体１８との間の隙間に挿入配置する必要がない分平板部２ａの長手方向の長さが短くなる。
【００１４】
【発明の効果】
本発明は上述の如く構成したので、子供などのドアに手を挟まれる事故を安価で且つ簡単な機構で、防止することができる。
【図面の簡単な説明】
【図１】本発明の外観図である。
【図２】本発明の外観図である。
【図３】本発明の平面的説明図である。
【図４】本発明の平面的説明である。
【符号の説明】
２      取付体
４      係止体
６      軸
８      緩衝体
１０    ガイド溝
１４    ドア
１６    磁石
１８    枠体
２０    ヒンジ
２２    ドアノブ
２４    突出部
【図１】
0003889688.tif 000002
【図２】
0003889688.tif 000003
【図３】
0003889688.tif 000004
【図４】
0003889688.tif 000005